(57)【要約】【課題】簡単な構成で且つ省スペースで、光源のハーネスの被覆が擦れて劣化・損傷することなく、安定した照射光量を得ることができ、しかも、原稿サイズ検知用の光源を不要にして部品点数の削減を図った画像読取り装置及びこれを用いた画像形成装置を提供する。【解決手段】露光ランプ３Ａ、光学レンズ体６、ＣＣＤ７を有するスキャナ部３とを備えた画像読取り装置４０Ａに搭載され、該画像読取り装置４０Ａに載置される原稿Ｇのサイズを検知する原稿サイズ検知装置９であって、露光ランプ３Ａを記画像読取り装置４０Ａ本体側に固定して、露光ランプ３Ａからの照射光を反射する反射板９ａ１，９ａ２，９ａ３と、反射した光を受光する受光センサ９ｂ１，９ｂ２，９ｂ３と備え、反射板９ａ１，９ａ２，９ａ３を画像読取り装置４０Ａ本体側で原稿サイズに対応して複数箇所に配置したことを特徴とするものとする。【選択図】図２
2007304193.tif 000002
【特許請求の範囲】
【請求項１】
原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段を備えて原稿画像をライン毎に走査して前記光電変換素子により電気信号に変換して出力する画像読取り装置に搭載され、該画像読取り装置に載置される原稿のサイズを検知する原稿サイズ検知装置であって、
前記光源からの照射光を反射する反射板と、前記反射板で反射した光源からの照射光を受光する受光手段と備え、
前記光源は、前記画像読取り装置本体側に固定され、
前記反射板は、画像読取り装置本体側で原稿サイズに対応して複数箇所に配置されていることを特徴とする原稿サイズ検知装置。
【請求項２】
前記光源は、原稿サイズ検知時と原稿照射時とで照射方向を変更可能としたことを特徴とする請求項１に記載の原稿サイズ検知装置。
【請求項３】
前記光源の照射光出射側に、主走査方向に沿って開口されたスリット部を備え、
前記スリット部は、原稿載置面に対して高さ方向で拡開・縮開可能に設けられていることを特徴とする請求項１または２に記載の原稿サイズ検知装置。
【請求項４】
前記移動反射手段は、前記光源からの照射光を原稿へ照射する位置に移動した時に、前記反射板で反射して原稿へ照射する前記光源からの照射光を遮蔽することを特徴とする請求項１乃至３のうちの何れか一項に記載の原稿サイズ検知装置。
【請求項５】
前記反射板は、前記移動反射手段を挟んで原稿載置側の反対側に配置されていることを特徴とする請求項１乃至４のうちの何れか一項に記載の原稿サイズ検知装置。
【請求項６】
前記光源としてＬＥＤを用いたことを特徴とする請求項１乃至４のうちの何れか一項に記載の原稿サイズ検知装置。
【請求項７】
前記光源として複数のＬＥＤとレンズアレイとを用いたことを特徴とする請求項１乃至５のうちの何れか一項に記載の原稿サイズ検知装置。
【請求項８】
原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知装置とを備えて、原稿サイズに応じて原稿画像をライン毎に走査して前記光電変換素子により電気信号に変換して出力する画像読取り装置において、
前記原稿サイズ検知装置として、請求項１乃至７のうちの何れか一項に記載の画像読取り装置を備えたことを特徴とする画像読取り装置。
【請求項９】
原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知手段とを備えて、原稿サイズに応じて原稿画像をライン毎に走査して前記光電変換素子により電気信号に変換して出力する画像読取り装置が搭載された画像形成装置において、
前記画像読取り装置として、請求項８に記載の画像読取り装置を備えたことを特徴とする画像形成装置。
【発明の詳細な説明】
【技術分野】
【０００１】
本発明は、原稿サイズ検知装置及びこれを用いた画像読取り装置及び画像形成装置に係り、特に、原稿載置台上に載置された原稿から画像を読取る画像読取り装置及びそれを用いた画像形成装置に関する。
【背景技術】
【０００２】
従来、複写機やスキャナ装置、ファクシミリ装置等の画像形成装置において、原稿から画像を光学的に走査して読取る画像読取り装置が搭載されている。
【０００３】
このような画像読取り装置による画像を読取る手法は、従来技術として、画像読取り装置を所定位置に固定して、画像を読取る位置に配置された透明のコンタクトガラス（プラテンガラス）に沿って原稿を移動しながらスキャナ（画像読取り手段）により画像を読取る方式（以下説明上、「原稿移動方式」と称する。）と、原稿載置台に固定された原稿に沿ってスキャナを移動しながら画像を読取る方式（以下説明上、「原稿固定方式」と称する。）に大別される。
【０００４】
原稿移動方式による原稿読取り装置は、複数の原稿を積載して一枚ずつ原稿を画像読取り装置に自動供給して連続的に画像読取り処理を可能にした自動原稿搬送装置（ＡＤＦ）を搭載して、画像の読取りが終了した原稿を排紙トレイに自動排出することで、連続的に画像読取り処理を可能にして高速・大量処理に対応した画像形成装置に広く展開されている。
【０００５】
一方、原稿固定方式による画像読取り装置は、高速処理では原稿移動方式には及ばないが、簡単な構造により安価で構成できるため一般に広く用いられている。
【０００６】
ここで、従来の原稿固定方式による画像読取り装置について図面を参照して簡単に説明する。図１３は従来の画像読取り装置における画像読取り部の構成の一例を示す説明図である。
【０００７】
従来の原稿固定方式による画像読取り装置３０１は、図１３に示すように、透明ガラスからなる原稿載置台２に載置された原稿Ｇに対向して往復移動するミラーベース３０４に原稿照射用の光源３０３が固定され、その光源３０３への電力供給をハーネス３０３Ａにより行なうようにしたものが一般的である。
【０００８】
原稿読取り装置３０１による画像読取りは、ミラーベース３０４を移動させながら原稿Ｇを走査し、光源３０３で照射された原稿Ｇの反射光像を反射ミラー３０４Ｃにより２・３ミラー３０５に導き、２・３ミラー３０５内の反射ミラー３０５Ａ，３０５ＢによってＣＣＤ７に照射して読取るようにされている。
図中の符号７ａはＣＣＤ７を一体的に収納した原稿画像読取りユニットである。
【０００９】
しかしながら、原稿Ｇを読取る場合には、ミラーベース３０４の移動に伴い光源３０３が移動するため、長期に渡り稼働するとハーネス３０３Ａの被覆が擦れて劣化・損傷するという問題があった。しかも、近年の高速化に対応するためには高速でミラーベース３０４を動作させる必要があり、ハーネス３０３Ａの劣化対策が必要とされている。
【００１０】
そのため、光源を装置本体に固定して、走行するミラーベースの反射板で原稿に照射する手法も考えられる。しかしながら、単にミラーベースの反射板で原稿に反射すると、光源と反射板との距離により光量が変化してしまい適正な光量を得ることができないという問題が生じる。
【００１１】
そこで、光源を装置本体に固定し、光源からの照射光を平行光に変換する光学部品を備え、走行するミラーベースの移動に伴い、原稿からの目的地点までの光路長の距離を調整するために第２のミラーベースを移動するようにしたものが開示されている（特許文献１，２を参照）。
【特許文献１】特開昭６２−７５６２８号公報
【特許文献２】特開平３―２９１６４１号公報
【発明の開示】
【発明が解決しようとする課題】
【００１２】
しかしながら、従来の画像読取り装置では、原稿を照射するための光源の構成や照射光を確実に照射するための光路の構成が複雑となるため、装置が大型化するという問題があった。
【００１３】
また、上述した従来の画像読取り装置は、通常、原稿サイズを検出するための原稿サイズ検知手段を備え、画像を読取る際に、読取る原稿のサイズを検出して、その原稿サイズに応じて画像読取り動作を行なうように制御されている。
【００１４】
しかしながら、原稿サイズ検知手段は、原稿検知用の光源を必要とするため、構成部品が増えてコストが増大するとともに装置が大型化するという問題があった。
【００１５】
本発明は、上記従来の問題点を鑑みてなされたものであって、簡単な構成で且つ省スペースで、光源のハーネスの被覆が擦れて劣化・損傷することなく、安定した照射光量を得ることができ、しかも、原稿サイズ検知用の光源を不要にして部品点数の削減を図った原稿サイズ検知装置及びこれを用いた画像読取り装置及び画像形成装置を提供することを目的とする。
【課題を解決するための手段】
【００１６】
上述した課題を解決するための本発明に係る画像読取り装置及びそれを用いた画像形成装置の構成は、次の通りである。
請求項１に記載した原稿サイズ検知装置は、原稿を照明する光源と、副走査方向に沿って移動して前記光源からの照射光を原稿の読取り部分に照射する移動反射手段として、例えば、いわゆるミラーベースと、前記光源により照明された原稿から反射した画像光を集光する光学系として、例えば、レンズ体と、前記レンズ体により集光された画像光を読取る光電変換素子とを有する画像読取り手段として、例えば、スキャナを備えて、原稿画像をライン毎に走査して前記光電変換素子により電気信号に変換して出力する画像読取り装置に搭載され、該画像読取り装置に載置される原稿のサイズを検知する原稿サイズ検知装置であって、前記原稿サイズ検知手段の構成として、前記光源からの照射光を反射する反射板と、前記反射板で反射した光源からの照射光を受光する受光手段と備え、前記光源を画像読取り装置本体側に固定し、前記反射板を画像読取り装置本体側で原稿サイズに対応して複数箇所に配置したことを特徴とするものである。
【００１７】
請求項２に記載した原稿サイズ検知装置は、請求項１に記載した構成に加えて、前記光源を、原稿サイズ検知時と原稿照射時とで照射方向を変更可能としたことを特徴とするものである。
【００１８】
請求項３に記載した原稿サイズ検知装置は、請求項１または２に記載した構成に加えて、前記光源の照射光出射側に、主走査方向に沿って開口されたスリット部を備え、前記スリット部を、原稿載置面に対して高さ方向で拡開・縮開可能に設けたことを特徴とするものである。
【００１９】
請求項４に記載した原稿サイズ検知装置は、請求項１乃至３のうちの何れか一項に記載した構成に加えて、前記移動反射手段を、前記光源からの照射光を原稿へ照射する位置に移動した時に、前記反射板で反射して原稿へ照射する前記光源からの照射光を遮蔽するようにしたことを特徴とするものである。
【００２０】
請求項５に記載した原稿サイズ検知装置は、請求項１乃至４のうちの何れか一項に記載した構成に加えて、前記反射板を、前記移動反射手段を挟んで原稿載置側の反対側に配置したことを特徴とするものである。
【００２１】
請求項６に記載した原稿サイズ検知装置は、請求項１乃至５のうちの何れか一項に記載した構成に加えて、前記光源としてＬＥＤを用いたことを特徴とするものである。
【００２２】
請求項７に記載した原稿サイズ検知装置は、請求項１乃至５のうちの何れか一項に記載した構成に加えて、前記光源として複数のＬＥＤとレンズアレイとを用いたことを特徴とするものである。
【００２３】
また、請求項８に記載した画像読取り装置は、原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知装置とを備えて、原稿サイズに応じて原稿画像をライン毎に走査して前記光電変換素子により電気信号に変換して出力する画像読取り装置において、前記原稿サイズ検知装置として、請求項１乃至７のうちの何れか一項に記載の画像読取り装置を備えたことを特徴とするものである。
【００２４】
また、請求項９に記載した画像形成装置は、原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知手段とを備えて、原稿サイズに応じて原稿画像をライン毎に走査して前記光電変換素子により電気信号に変換して出力する画像読取り装置が搭載された画像形成装置において、前記画像読取り装置として、請求項８に記載の画像読取り装置を備えたことを特徴とするものである。
【発明の効果】
【００２５】
請求項１に記載した発明によれば、原稿を照明する光源と、副走査方向に沿って移動して前記光源からの照射光を原稿の読取り部分に照射する移動反射手段たるミラーベースと、前記光源により照明された原稿から反射した画像光を集光する光学系たるレンズ体と、前記レンズ体により集光された画像光を読取る光電変換素子とを有する画像読取り手段たるスキャナを備えて、原稿画像をライン毎に走査して前記光電変換素子により電気信号に変換して出力する画像読取り装置に搭載され、該画像読取り装置に載置される原稿のサイズを検知する原稿サイズ検知装置であって、前記原稿サイズ検知手段の構成として、前記光源からの照射光を反射する反射板と、前記反射板で反射した光源からの照射光を受光する受光手段と備え、前記光源を画像読取り装置本体側に固定し、前記反射板を画像読取り装置本体側で原稿サイズに対応して複数箇所に配置したことで、前記光源をミラーベースとともに移動させる必要が無いため、前記光源への電力供給用のハーネスが磨耗して損傷することを防止して、安定した照射光量を得ることができ、しかも、原稿照射用の光源を原稿サイズ検知用の光源として兼用することで部品点数の削減を図るとともに、省スペース化を図った原稿サイズ検知装置を実現できる。
【００２６】
また、請求項２〜８に記載の発明によれば、請求項１に記載の発明で得られる上記共通の効果に加え、次の効果を得ることができる。
【００２７】
すなわち、請求項２に記載した発明によれば、請求項１に記載の発明で得られる効果に加えて、前記光源を、原稿サイズ検知時と原稿照射時とで照射方向を変更可能としたことで、１つの光源で原稿照射用と原稿検知用の２機能を持たせることで有効利用することができる。
【００２８】
請求項３に記載した発明によれば、請求項１または２に記載の発明で得られる効果に加えて、前記光源の照射光出射側に、主走査方向に沿って開口されたスリット部を備え、前記スリット部を、原稿載置面に対して高さ方向で拡開・縮開可能に設けたことで、光源からの照射光の照射範囲を特定することができるので、照射光を有効利用することができる。
【００２９】
請求項４に記載した発明によれば、請求項１乃至３のうちの何れか一項に記載の発明で得られる効果に加えて、前記移動反射手段を、前記光源からの照射光を原稿へ照射する位置に移動した時に、前記反射板で反射して原稿へ照射する前記光源からの照射光を遮蔽するようにしたことで、前記反射板により反射した光が原稿を照射することがないので、原稿からの適正な画像光を光電変換素子に照射することができる。
【００３０】
請求項５に記載した発明によれば、請求項１乃至４のうちの何れか一項に記載の発明で得られる効果に加えて、前記反射板を、前記移動反射手段を挟んで原稿載置側の反対側に配置したことで、デッドスペースを利用した省スペースな装置構成を実現できる。
【００３１】
請求項６に記載した発明によれば、請求項１乃至５のうちの何れか一項に記載の発明で得られる効果に加えて、前記光源としてＬＥＤを用いたことで、照射光を拡散させることなく照射できるので、前記移動反射手段の位置にかかわらず光量が変化することなく、安定した平行光を得ることができる。
【００３２】
請求項７に記載した発明によれば、請求項１乃至５のうちの何れか一項に記載の発明で得られる効果に加えて、前記光源として複数のＬＥＤとレンズアレイとを用いたことで、レンズアレイにより照射光を拡散させることなく照射できるので、照射光を拡散させることなく安定した平行光を得ることができる。
【００３３】
また、請求項８に記載した発明によれば、原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知装置とを備えて、原稿サイズに応じて原稿画像をライン毎に走査して前記光電変換素子により電気信号に変換して出力する画像読取り装置において、前記原稿サイズ検知装置として、請求項１乃至７のうちの何れか一項に記載の画像読取り装置を備えたことで、光源のハーネスの被覆が擦れて劣化・損傷することを防止して、安定した照射光量を得ることができ、しかも、原稿照射用の光源を原稿サイズ検知用の光源として兼用することで部品点数の削減を図るとともに、省スペース化を図った画像読取り装置を実現できる。
【００３４】
また、請求項９に記載した発明によれば、原稿を照明する光源と、副走査方向に沿って移動して前記光源からの照射光を原稿の読取り部分に照射する移動反射手段と、前記光源により照明された原稿から反射した画像光を集光する光学系と、前記光学系により集光された画像光を読取る光電変換素子とを有する画像読取り手段と、原稿サイズを検出する原稿サイズ検知手段とを備えて、原稿サイズに応じて原稿画像をライン毎に走査して前記光電変換素子により電気信号に変換して出力する画像読取り装置が搭載された画像形成装置において、前記画像読取り装置として、請求項８に記載の画像読取り装置を備えたことで、光源のハーネスの被覆が擦れて劣化・損傷することを防止して、安定した照射光量を得ることができ、しかも、原稿照射用の光源を原稿サイズ検知用の光源として兼用することで部品点数の削減を図るとともに、省スペース化を図った画像形成装置を実現できる。
【発明を実施するための最良の形態】
【００３５】
以下、本発明の実施の形態について図面を参照して詳細に説明する。
（第１の実施形態）
図１，図２は本発明を実施する形態の一例であって、図１は本発明の一実施形態に係る画像形成装置の全体の構成を示す斜視図、図２は前記画像形成装置の内部の構成を示す側面断面図である。
【００３６】
本実施形態に係る画像形成装置１は、原稿Ｇの画像情報を読取る画像読取り装置４０Ａを備え、該画像読取り装置４０Ａによって読取られた原稿Ｇの画像情報を電子写真方式によって記録媒体となる所定のシート状の記録用紙（以下、用紙と称する。）にモノクロ画像として出力形成するものである。
【００３７】
画像形成装置１は、図１，図２に示すように、装置本体１ａの上面部に、原稿Ｇが載置される透明ガラスからなる原稿載置台（例えば、プラテンガラス）２が設けられている。
【００３８】
この原稿載置台２の上方には、自動原稿処理装置４０が設けられ、一方、この原稿載置台２の下方には、原稿Ｇの画像情報を読取る画像読取り部を構成するスキャナ部（画像読取り手段）３が配置されている。
【００３９】
これら原稿載置台２、スキャナ部３及び自動原稿処理装置４０等により画像読取り装置４０Ａが構成されている。
【００４０】
スキャナ部３の下方には、画像形成部１０、定着装置３０及び排紙部２２が構成され、さらに、その下方には、記録媒体たる記録用紙が収容された給紙カセット２３が配設されている。
【００４１】
スキャナ部３は、図２に示すように、矩形状を呈する箱体で外装部が形成され、主に、原稿載置台２の下方に配置されて平行に往復移動する第１の走査ユニット（移動照射手段）４及び第２の走査ユニット（光路長調整手段）５と、光学レンズ体（光学系）６と、ＣＣＤ（光電変換素子）７を備えた原稿画像読取りユニット７Ａ及び露光ランプ（光源）３Ａにより構成されている。
【００４２】
画像形成部１０は、図２に示すように、主に、矢印方向に回転駆動する感光体ドラム１１と、この感光体ドラム１１の表面を所定の電位に帯電させる主帯電器１２と、感光体ドラム１１表面に静電潜像の形成用のレーザ光を照射するレーザスキャニングユニット８と、そのレーザスキャニングユニット８からのレーザ光の照射によった静電潜像をトナーにより現像して顕像化する現像装置１３と、この現像装置１３にて顕像化された原稿画像のトナー像を後述する給紙カセット２３から給紙搬送路２５を介して給紙される用紙（「記録媒体」に相当：「転写紙」とも称する）Ｐ上に転写する転写ローラ１４及びこの転写ローラ１４による転写後の感光体ドラム１１上に残留する残留トナーをクリーニングするクリーニング装置１５とが、該感光体ドラム１１の回転方向に沿って順に配置されて構成されている。
【００４３】
画像形成部１０の主帯電器１２は、クリーニング装置１５によるクリーニング後の感光体ドラム１１表面の電荷を除電する図示しない除電装置の機能を有している。
【００４４】
定着装置３０は、図２に示すように、加熱ローラ３１と加圧ローラ３２とを備え、この加熱ローラ３１と加圧ローラ３２とにより用紙Ｐを挟持した状態で加熱ローラ３１を回転させて、加熱ローラ３１と加圧ローラ３２との間を通過させることにより、用紙Ｐ上に転写されたトナー像を溶融して用紙Ｐに定着するものである。
【００４５】
感光体ドラム１１と転写ローラ１４との間に挟持されてトナー像が転写された後の用紙Ｐは、感光体ドラム１１上から剥離されて該感光体ドラム１１と定着装置３０とを連絡する主搬送路１６を経由して、該定着装置３０の加熱ローラ３１と加圧ローラ３２との間に突入する。加熱ローラ３１と加圧ローラ３２との当接部には所定の押圧力によってニップ部が形成されている。
【００４６】
定着装置３０において、この加熱ローラ３１と加圧ローラ３２との間、つまりニップ部に挟持された用紙Ｐは、加熱ローラ３１による加熱と加圧ローラ３２による加圧によって当該用紙Ｐに前記感光体ドラム１１から転写された未定着トナー像の定着が行われるようになっている。
【００４７】
定着装置３０による定着後の用紙Ｐは、排紙搬送路１７に搬送されて排紙駆動ローラ１８にて排紙口２０側の排紙ローラ１９に向け搬送されるようになっている。
排紙搬送路１７に搬送される用紙Ｐは、定着装置３０の下流側に設けた、加熱ローラ３１と加圧ローラ３２との間を用紙Ｐが通過する状態を定着検知スイッチ２１Ａにて検知される。
【００４８】
通常の片面印字の場合には、そのまま排紙駆動ローラ１８及び排紙ローラ１９の回転駆動により、排紙口２０からスキャナ部３の下部空間に設置した排紙トレイ２２ａ上に排紙されるもので、この排紙ローラ１９の用紙Ｐの通過状態は、排紙ローラ１９の上流側に設けた排紙検知スイッチ２１Ｂにて検知されるようになっている。
【００４９】
用紙Ｐは、前記画像形成部１０の横に排紙され、かつ、その排紙された用紙Ｐは、給紙カセット２３の上方かつスキャナ部３の下方に排出される。
【００５０】
装置本体１ａの内底部側には、用紙Ｐが所定の用紙サイズ毎に積載収容された交換可能な給紙カセット２３が配置される。この給紙カセット２３の排紙側上部には、半月状の用紙ピックアップローラ２４が配置されている。
【００５１】
この用紙ピックアップローラ２４は、給紙カセット２３内に積載収容された用紙Ｐを最上層から１枚ずつピックアップし、下流側に向かって（便宜上の用紙Ｐの流れ出し側（カセット側）を上流、排紙側を下流とする）給紙搬送路２５のレジストローラ（「アイドルローラ」とも称する）２６まで搬送させるようになっている。
図中の符号Ｐａは用紙Ｐの前端部、Ｐｂは用紙Ｐの後端部を示す。
【００５２】
レジストローラ２６の上流側には、レジスト前検知スイッチ２１Ｃが設けられており、このレジスト前検知スイッチ２１Ｃは給紙カセット２３から給紙搬送される用紙Ｐを検知する。その信号を基に給紙タイミングを図りながら、上述した画像形成部１０に給紙するようになっている。
【００５３】
尚、両面印字を行う場合には、画像形成部１０による用紙Ｐの片面印字後、排紙搬送路１７に搬送された定着装置３０からの通過後の用紙Ｐを、一旦、排紙ローラ１９側に搬送し、この状態で、定着装置３０付近に配置された用紙切換えゲート２７を切換え制御して、排紙ローラ１９の逆転駆動により用紙Ｐをスイッチバックさせて用紙反転させる副搬送路２８に導入し、この副搬送路２８に設けた副駆動ローラ（反転ローラ）２９の回転駆動により、再びレジストローラ２６の上流側に用紙Ｐを搬送することにより、用紙Ｐの他面印字を行うようになっている。
【００５４】
装置本体１ａの原稿載置台２上には、原稿移動方式による両面原稿自動読取装置（Ｒ−ＳＰＦ）からなる原稿押え部（原稿押えカバー）５１ａを一体とした自動原稿処理装置４０が開閉自在に搭載され、スキャナ部３とともに画像読取り装置４０Ａが構成されている。
【００５５】
画像読取り装置４０Ａは、従来機と同様な操作で一枚ごとの原稿読取処理を行うことが可能であり、自動原稿処理装置４０を搭載することで、原稿Ｇの両面読取が可能となるとともに、複数枚の原稿Ｇの自動連続読取処理が可能となっている。
【００５６】
自動原稿処理装置４０は、図２に示すように、原稿Ｇが載置される原稿トレイ４１を有し、連続的に複数の原稿Ｇの読取処理を行う場合、この原稿トレイ４１上に載置された原稿Ｇを原稿ピックアップローラ４２にてピックアップして、原稿駆動ローラ４３を介して原稿Ｇを原稿搬送路４４に導入してレジストローラ（ＰＳローラ）４５の上流側に案内搬送されるようになっている。
【００５７】
このＰＳローラ４５の上流側には、原稿Ｇの原稿サイズが検出可能にするため原稿入紙センサ４６が設けられ、この原稿入紙センサ４６にて原稿Ｇの先端及び後端を検知し、その信号を基に搬送タイミングを図りながら、原稿Ｇを原稿載置台２の片側に隣接させて配置したスリットガラスからなる原稿読取り台１０１上に向け搬送制御するようになっている。
【００５８】
この場合、スキャナ部３の第１の走査ユニット４は、原稿読取り台１０１の下方に待機し位置するように移動制御されている。
【００５９】
この原稿読取り台１０１上に搬送される原稿Ｇは、その移動と共に片面側の第１画像読取り面Ｇ１が画像読取り位置でスキャナ部３の第１の走査ユニット４にて走査される。この画像読取り位置には、原稿とスキャナ部３との距離を均一にするコンタクトガラス１０２が設けられている。
その他のＣＣＤ７での読取り、画像情報の画像処理、印字などの画像形成処理は上述と同様である。
【００６０】
そして、コンタクトガラス１０２上での画像読取り後の原稿Ｇは、搬送ローラ４７を介して原稿排紙路４８の原稿排紙ローラ４９側に搬送される。
片面読取りのみ場合は、原稿切換えゲート５０の切換え制御により原稿排紙トレイ５１上に排紙されるようになっている。
【００６１】
一方、両面画像読取りを行う場合は、原稿Ｇを原稿切換えゲート５０の切換え制御により、一旦、原稿トレイ４１と原稿排紙トレイ５１との間に配置された中間トレイ５２上に向け排紙した後、原稿排紙ローラ４９を逆転駆動させてスイッチバックさせることにより、原稿反転路５３に導入し、再び、原稿搬送路４４に原稿Ｇを搬送することにより、原稿Ｇの裏側の画像読取り面Ｇ２の原稿画像の読取りが行われるとともに、上述した片面印字工程と同様に、用紙Ｐの第１印字面Ｐ１に原稿Ｇの裏面側の原稿画像が印字されるようになっている。
【００６２】
この用紙Ｐの第１印字面Ｐ１への印字工程が終了すると、用紙Ｐは、上述した用紙反転機構にて反転され、再び、画像形成部１０に搬送されて、その第１印字面Ｐ２に、予めメモリに記憶された原稿Ｇの表面側の原稿画像が印字される。
【００６３】
画像形成装置１における装置本体１ａの上部側の前面部には、図１に示すように、使用者が用紙Ｐの用紙種類（用紙寸法のほか、用紙の厚み等）、印刷枚数、倍率、濃度等の画像形成条件を設定する操作スイッチ類７６が配設されている。
【００６４】
排紙部２２は、主に、排紙搬送路１７、排紙駆動ローラ１８、排紙ローラ１９、排紙口２０及び排紙トレイ２２ａより構成されている。
排紙口２０の外側（排紙トレイ２２ａ側）には、満杯検知センサとも称される用紙積載量検出センサ２１Ｄが設けられている。
【００６５】
用紙積載量検出センサ２１Ｄは、主に、排出されて積載された用紙が当接した時に動作する検出体２１Ｄ１と、検出体２１Ｄ１の動作に応じて信号を出力するセンサ本体２１Ｄ２とにより構成されている。
【００６６】
検出体２１Ｄ１は、棒状を呈し、一端部がセンサ本体２１Ｄ２側に係合され、その一端部を支点として他端部側が揺動可能に設けられ、装置側（排紙口２０側）より外側に向かい且つ斜め下方に傾倒して配置されている。
【００６７】
そして、用紙積載量検出センサ２１Ｄは、排出された用紙が積載されて所定量（高さ）に達した時に、検出体２１Ｄ１の他端部が上方に押し上げられることでセンサ本体２１Ｄ２より検出信号を出力するようになっている。
【００６８】
次に、本実施形態の画像形成装置を構成する用紙搬送路の構成について説明する。
画像形成装置１の用紙搬送路は、図２に示すように、主に、装置下部に設けられた給紙カセット２３から上方に向かい画像形成部１０に用紙を搬送する給紙搬送路２５と、画像形成部１０から定着装置３０を通って排紙駆動ローラ１８に向かい用紙を搬送する主搬送路１６と、排紙駆動ローラ１８から排紙ローラ１９に向かい用紙を搬送する排紙搬送路１７と、排紙ローラ１９の逆転駆動と反転ローラ２９により用紙Ｐをスイッチバックさせて用紙反転させる副搬送路２８とで構成されている。
【００６９】
給紙搬送路２５は、用紙搬送方向で用紙ピックアップローラ２４の用紙搬送方向下流側に、用紙がダブルフィードされた場合に１枚ずつさばくためのサバキローラ（図示省略）が設けられ、画像形成部１０の感光体ドラム１１の下側（用紙搬送方向上流側）に近接して設けられたレジストローラ２６まで緩やかに湾曲して略直線的に設けられている。
【００７０】
主搬送路１６は、レジストローラ２６の下流側から画像形成部１０を通って定着装置３０まで略直線的に形成され、定着装置３０の出口側（用紙搬送方向下流側）から略上方に向かい排紙駆動ローラ１８（図中左方向）に向かって湾曲した湾曲部１６ａが設けられている。
【００７１】
排紙搬送路１７は、排紙駆動ローラ１８と排紙ローラ１９との間に略直線的に設けられている。排紙駆動ローラ１８は、排紙搬送路１７に用紙を搬送する第１搬送ローラ１８ａと、排紙搬送路１７の途中に設けられた第２搬送ローラ１８ｂとにより構成されている。尚、排紙駆動ローラ１８の構成はこれに限定されるものではない。
【００７２】
副搬送路２８は、排紙ローラ１９の逆転駆動により用紙Ｐをスイッチバックさせて用紙反転させて搬送するために、主搬送路１６の湾曲部１６ａと連通して、用紙切換えゲート２７の切換えにより用紙Ｐを反転ローラ２９によって装置の下方に搬送して再びレジストローラ２６に搬送するように構成されている。
【００７３】
具体的には、副搬送路２８は、排紙搬送路１７から逆方向に搬送された用紙Ｐを装置下方に方向を変えるための第１湾曲部２８ａと、装置下方に搬送された用紙Ｐをレジストローラ２６側に方向を変えるための第２湾曲部２８ｂとを備えている。
【００７４】
副搬送路２８に設けられる反転ローラ２９として、第１湾曲部２８ａを挟んで用紙搬送方向上流側に第１反転ローラ２９ａと下流側に第２反転ローラ２９ｂとが設けられ、第２湾曲部２８ｂを挟んで用紙搬送方向上流側に第３反転ローラ２９ｃと下流側に第４反転ローラ２９ｄとが設けられている。
【００７５】
ここで、本実施形態に係る特徴的なスキャナ部の構成について図面を参照して詳細に説明する。
図３は前記画像形成装置に搭載される画像読取り装置を構成するスキャナ部の構成の一例を示す説明図、図４は前記スキャナ部を構成する露光ランプの構成を示す説明図、図５は前記スキャナ部に配置された原稿サイズ検知装置を構成する反射板の構成を示す説明図、図６は前記原稿サイズ検知装置を構成する反射板と受光センサの位置関係を示す説明図である。
【００７６】
スキャナ部３は、図３に示すように、その本体内部に第１の走査ユニット４、第２の走査ユニット５、光学レンズ体６、ＣＣＤ７を備えた原稿画像読取りユニット７Ａ、及び露光ランプ３Ａが設けられている。
【００７７】
露光ランプ３Ａは、図４に示すように、光源３Ａ１と集光体（以下、リフレクタと称する。）３Ａ２と第１の光学レンズ体３Ａ３及び第２の光学レンズ体３Ａ４を有し、図３に示すように、スキャナ部３本体内部の一端部側において、第１の走査ユニット４の主走査方向側端部側に対向する位置で、且つ、第１の走査ユニット４及び第２の走査ユニット５の動作と干渉しない領域に設けられ、スキャナ部３の副走査方向に沿って移動する第１の走査ユニット４に向かい照射するようになっている。
【００７８】
光源３Ａ１は、主走査方向に沿って長い冷陰極線管として、例えば蛍光ランプ管が用いられている。
リフレクタ３Ａ２は、光源３Ａ１の長手方向に沿って該光源３Ａ１の外周を包囲するとともに、副走査方向に向かい、且つ走査方向に沿って長く開口部３Ａ２１が形成されている。
【００７９】
また、露光ランプ３Ａは、傾倒可能に取付けられており、原稿サイズ検知時と原稿照射時とで照射方向を変更可能に動作制御されている。
【００８０】
露光ランプ３Ａの照射光出射側には、図３に示すように、スキャナ部３の主走査方向に沿って長く開口されたスリット部３Ｂが設けられている。スリット部３Ｂは、通常の原稿への露光時には、原稿載置面に対して高さ方向で所定の間隙をとって縮開されており、原稿サイズ検知時には、原稿載置面に対して高さ方向（図中下方）に拡開するように構成されている。
図中において、原稿画像読取り時の露光ランプ３Ａからの原稿までの照射光の光路を破線、原稿からＣＣＤ７までの画像光の光路を一点鎖線で示す。
【００８１】
第１の走査ユニット４は、図３に示すように、露光ランプ３Ａからの光を原稿Ｇに向けて反射して照射する反射ミラー４Ａ，４Ｂ及び第１のミラー４Ｃを内部に配置し、原稿載置台２の下面に対して一定の距離を保ちながらライン走査方向（主走査方向）に対して垂直方向（副走査方向）に所定の走査速度で平行に往復移動制御されている。
【００８２】
反射ミラー４Ａは、原稿載置台２に対して均一な間隙をとって主走査方向に沿って長く延設され、原稿載置台２に対向する面から原稿Ｇに向かい照光するようにされている。
【００８３】
反射ミラー４Ｂは、反射ミラー４Ａに沿って長く延設され、原稿Ｇからの反射光像を第１のミラー４Ｃに向かい反射するように所定の角度で傾斜して配置されている。
【００８４】
第１のミラー４Ｃは、反射ミラー４Ｂに沿って長く延設され、原稿Ｇからの反射光像を第２の走査ユニット５に向かい反射するように所定の角度で傾斜して配置されている。
【００８５】
第２の走査ユニット５は、通称「２・３ミラー」を構成するもので、図３に示すように、第１の走査ユニット４の第１のミラー４Ｃにより導かれた原稿Ｇからの反射光像を更に所定の方向に向かって導くための第２のミラー５Ａ及び第３のミラー５Ｂを有し、第１の走査ユニット４から原稿Ｇからの反射光像を反射して光学レンズ体６を通ってＣＣＤ７に照射するとともに、原稿ＧからＣＣＤ７へ到達するその照射光量を一定にするために、第１の走査ユニット４の移動量に対応して移動量が制御され、第１の走査ユニット４と一定の速度関係を保って平行に往復移動制御されている。
【００８６】
光学レンズ体６は、第２の走査ユニット５の第３のミラー５Ｂにより導かれた原稿画像の反射光の光路上に配置され、その光像をＣＣＤ（電荷結合素子）７に結像させるものである。
【００８７】
ＣＣＤ７は、光学レンズ体６により結像された原稿画像の光像を読取って電気信号に光電変換することによって原稿画像情報（原稿画像データ）を作成するものであり、その原稿画像情報を後述する画像処理部５７（図７を参照）に向けて出力する。
【００８８】
画像処理部５７は、ＣＣＤ７が出力した原稿画像情報を、解像度や濃度等が印字に適した印字用画像情報（印字用画像データ）に画像処理するものである。画像処理後の印字用画像情報は、レーザスキャニングユニット（ＬＳＵ）８の画像データ入力部へと転送されるようになっている。
【００８９】
レーザスキャニングユニット８は、画像処理部５７から出力された印字用画像情報に応じたレーザ光を、画像形成部１０を構成する感光体ドラム１１の表面に照射する。これにより、感光体ドラム１１に印字用画像情報の静電潜像が書込み形成されるようになっている。
【００９０】
スキャナ部３の底部３ａには、図５に示すように、原稿サイズ検知装置９の一部を構成する光源からの照射光を反射する反射板９ａが原稿サイズに対応して複数箇所に配置されている。本実施形態においては、例えばＡ３サイズ，Ａ４サイズ，Ｂ５サイズの原稿に対応して３カ所に反射板９ａ１，９ａ２，９ａ３が設けられている。
【００９１】
反射板９ａ１，９ａ２，９ａ３は、原稿サイズ検知時に露光ランプ３Ａがスキャナ部３の底部３ａに向かい傾倒して照射した時に、露光ランプ３Ａからの照射光を反射して、それぞれ図中上方に向かい照射するように反射面が斜めに設けられている。
図中において、原稿サイズ検知時の露光ランプ３Ａからの照射光の光路を二点鎖線で示す。
【００９２】
原稿押え部（原稿押えカバー）５１ａには、図６に示すように、反射板９ａ１，９ａ２，９ａ３に各々対応して反射光が照射される位置にセパレート式の受光センサ９ｂ１，９ｂ２，９ｂ３が設けられている。受光センサ９ｂ１，９ｂ２，９ｂ３は、それぞれ反射板９ａ１，９ａ２，９ａ３からの反射光が入射された時に検知信号を出力するようになっている。
【００９３】
第１の走査ユニット４は、底部４ａが閉塞されており、図３に示すように、原稿読取り時に移動する時に、原稿載置台２の下側で反射板９ａ１，９ａ２，９ａ３上を通過するようになっている。第１の走査ユニット４が移動して原稿Ｇの画像読取り位置に配置された状態で、第１の走査ユニット４下方からの反射板９ａ１，９ａ２，９ａ３による反射光が原稿Ｇに照射されないようになっている。
【００９４】
次に、本実施形態に係る画像形成装置１の制御系について説明する。
図７は本実施形態に係る画像形成装置の電気制御部の構成を示すブロック図である。
実施形態に係る画像形成装置１は、図７に示すように、画像の読取り処理、画像処理、画像形成処理、および用紙Ｐの搬送処理等をＲＯＭ（Read Only Memory）５５に予め記憶されたプログラムにしたがって中央処理ユニット（ＣＰＵ）５４がＲＡＭ（Random access Memory）５６等の一時的記憶手段を用いて処理を実行する。尚、ＲＯＭ５５やＲＡＭ５６に代えてＨＤＤ（ハードディスクドライブ）などの記憶手段を用いることができる。
【００９５】
画像形成装置１において、スキャナ部（原稿読取り部）３によって読取った原稿の画像情報（原稿画像データ）、または、図示しない通信ネットワークに繋がれた各端末装置から送信された原稿画像情報は、通信処理部５８を介して画像処理部５７に入力されるようになっている。
【００９６】
画像処理部５７は、ＲＡＭ５６等の記憶部に記憶された原稿画像情報を印字（用紙への画像形成）に適した印字用画像に上記のプログラムによって処理するものである。
【００９７】
印字用画像情報は画像形成部１０に入力される。
画像形成部１０、用紙搬送部（給紙搬送路２５、主搬送路１６、副搬送路２８、（これらはペーパーガイドとも称する。）において用紙Ｐの各種検出・制御を行う。）５９、定着装置３０、排紙処理部（排紙搬送路１７において用紙Ｐの各種の検出・制御を行う。）６０は、各々の駆動制御部６２と連動している。
【００９８】
用紙搬送部５９によって搬送する用紙Ｐ上に印字工程（画像形成部１０においての画像情報の印字処理）と、その後に、その印字処理された用紙Ｐに対する定着工程（定着装置３０）を経て用紙排出部（排紙トレイ２２ａ）に排出されるようになっている。
尚、用紙搬送部５９には、定着検知スイッチ２１Ａ、排紙検知スイッチ２１Ｂ、レジスト前検知スイッチ２１Ｃ等からの検出信号が入力されるようになっている。
【００９９】
画像形成装置１は、運転条件設定部７７が設けられる。この運転条件設定部７７は、操作スイッチ類７６によって使用者が設定して画像形成要求または記録媒体の種類等の画像形成条件にしたがって、画像形成装置１の画像形成、または搬送条件等の運転条件を設定するものである。
【０１００】
また、画像形成装置１は、設定された前記運転条件にしたがって、前記スキャナ部３、用紙搬送部５９、画像形成部１０、定着装置３０および排紙処理部６０などの駆動用アクチュエータである画像読取り駆動部６４、用紙搬送駆動部６６、印字処理駆動部６８、定着駆動部７０および排紙駆動部７２を、ＲＯＭ５５に記憶されたプログラムに基づく、ＣＰＵ５４の指令にしたがった同期した動作を駆動制御部６２の制御によって行うようになっているものである。
【０１０１】
排紙処理部６０は、印字された用紙を排紙トレイに排出する排紙処理を行うための制御を行うものであり、用紙積載量検出センサ２１Ｄから出力された信号に基づき排紙処理を行うものである。
【０１０２】
画像読取り駆動部６４は、スキャナ部３の第１走査ユニット４、第２走査ユニット５の駆動用アクチュエータを含むものである。
本実施形態では、この画像読取り駆動部６４は、原稿サイズ検知装置９により検出された原稿サイズに応じて動作制御されている。
すなわち、原稿サイズ検知装置９は、受光センサ９ｂ１，９ｂ２，９ｂ３から出力される検知信号に基づき原稿サイズを検知し、画像読取り駆動部６４は、原稿サイズ検知装置による原稿サイズ検知結果に基づき原稿サイズに応じた動作を行なうように制御されている。
【０１０３】
用紙搬送駆動部６６は、用紙搬送部５９、具体的には、上述の給紙搬送路２５上の用紙ピックアップローラ２４、レジストローラ２６の駆動用モータである。
印字処理駆動部６８は、感光体ドラム１１の駆動用モータである。
定着駆動部７０は、定着装置３０の加熱ローラ３１および加圧ローラ３２の駆動用モータである。
【０１０４】
排紙駆動部７２は、排紙駆動ローラ１８、排紙ローラ１９などの駆動用モータである。これらの各駆動部の駆動用モータは、それぞれ同じまたは異なるモータを駆動源として適宜に動力伝達機構を介して構成できる。
【０１０５】
また、画像形成装置１には、オプション構成７４として、自動原稿処理装置（原稿搬送手段）４０等が配置可能であり、それらオプション構成７４は上記画像形成装置１の制御部とは別に各々のオプション構成７４内に制御部７４ａを持ちながら、前記通信処理部５８を介して装置とのタイミング調整を同期するように構成されている。
【０１０６】
記録媒体検出手段７８は、定着装置３０または搬出部に記録媒体の先端が到達することを検出するものである。記録媒体検出手段７８は、本実施形態では、定着装置３０および排紙駆動ローラ１８のそれぞれに用紙Ｐが到達する（突入する）タイミングを、後述する搬送タイミング検出手段７９ｂによって検出した記録媒体の搬送タイミングに基づいて検出するようにしている。
【０１０７】
具体的には、記録媒体検出手段７８は、給紙搬送路２５入り口において用紙Ｐを導入するレジストローラ２６から用紙Ｐが送り出された後の用紙Ｐの搬送時間を計測する搬送時間計測手段７９ａと、このレジストローラ２６から制御対象の定着装置３０および排紙駆動ローラ１８のそれぞれまでの距離と用紙Ｐの搬送速度に基づき、主搬送路１６および排紙搬送路１７における用紙Ｐの搬送タイミングを検出する搬送タイミング検出手段７９ｂとを有している。
【０１０８】
次に、本実施形態に係るスキャナ部３による画像読取りについて図面を参照して詳細に説明する。
図８は本実施形態に係る画像読取り装置のスキャナ部の制御を説明するブロック図である。
【０１０９】
スキャナ部３による画像読取りは、図８に示すように、露光ランプ３Ａにより原稿Ｇを照射して、その原稿Ｇからの反射光像をＣＣＤ７（ＣＣＤ基板７Ｂ）により読込まれる。
【０１１０】
露光ランプ３Ａより照射された光は、図３に示すように、反射ミラー４Ａによって原稿Ｇに向かい照射される。反射ミラー４Ａによって照射された原稿Ｇからの画像光（反射光像）は、反射ミラー４Ｂによって第１のミラー４Ｃに照射され、第１のミラー４Ｃによって第２の走査ユニット５に導かれる。第２の走査ユニット５に導かれた画像光は、第２のミラー５Ａ、第３のミラー５Ｂにより光路を変えて、光学レンズ体６を通ってＣＣＤ７に照射される。
【０１１１】
ＣＣＤ７に照射された反射光像は、図８に示すように、ＣＣＤ７によって変換されて画像データとしてＲＯＭ５５、ＲＡＭ５６に一時的に記憶される。そして、その画像データに基づきＣＰＵ５４や予め入力されたプログラムによって画像処理され、画像処理部５７に具備された書込み機能５７ａによって出力処理される。
【０１１２】
スキャナ部３の駆動制御は、原稿読取り駆動部６４に具備された照射光の光路の距離を一定にする光路長調整機能（スキャナモータ駆動制御）６４ａにより、スキャナ部３による画像読取り動作に対応して第１の走査ユニット４及び第２の走査ユニット５の駆動が制御される。
これにより、第１の走査ユニット４及び第２の走査ユニット５が、原稿ＧからＣＣＤ７に至る照射光の光路の距離が一定になるように、且つ、第１の走査ユニット及び第２の走査ユニット５が一定の速度関係を保って往復移動するように制御される。
【０１１３】
尚、第１の走査ユニット４及び第２の走査ユニット５がワイヤ駆動機構などにより一体的に駆動するように構成した場合は、光路長調整機能６４ａによる駆動制御は不要となる。
【０１１４】
次に、本実施形態に係る原稿サイズ検知装置９による原稿サイズの検知操作について図面を参照して説明する。ここでは、一例として原稿載置台２に載置されたＢ５サイズの原稿Ｇの原稿サイズを検知する場合について説明する。
【０１１５】
原稿サイズ検知装置９により原稿サイズを検知する場合は、図５，６に示すように、露光ランプ３Ａから照射される光がスキャナ部３の底部３ａに配置された反射板９ａ１，９ａ２，９ａ３に照射されるように、スリット部３Ｂの下側部３Ｂ１を図中下方に移動してスリット部３Ｂの開口部を拡開し、露光ランプ３Ａを斜め下方に傾倒させて反射板９ａ１，９ａ２，９ａ３に向かい照射する。
【０１１６】
反射板９ａ１，９ａ２，９ａ３に照射されて反射した反射光は、図中上方に向かいそれぞれ受光センサ９ｂ１，９ｂ２，９ｂ３側に照射される。
【０１１７】
反射板９ａ１，９ａ２，９ａ３と受光センサ９ｂ１，９ｂ２，９ｂ３との間には原稿Ｇが配置されているため、反射板９ａ１，９ａ２からの反射光は、それぞれ受光センサ９ｂ１，９ｂ２に到達し、反射板９ａ３からの反射光は原稿Ｇに遮られる。
【０１１８】
この時、受光センサ９ｂ１，９ｂ２は受光してＯＮ状態となり、受光センサ９ｂ３は受光されないためＯＦＦ状態となっている。すなわち、受光センサ９ｂ１，９ｂ２がＯＮ状態、受光センサ９ｂ３がＯＦＦ状態の時に、原稿ＧはＢ５サイズであると判定するように制御することで、原稿載置台２に載置された原稿ＧはＢ５サイズであることが検出される。
【０１１９】
このように、受光センサ９ｂ１，９ｂ２，９ｂ３の受光状態により原稿サイズを特定することで、原稿載置台２に載置された原稿によって変動する原稿下方からの反射光による受光センサ９ｂ１，９ｂ２，９ｂ３の受光状態に応じて原稿サイズを検知することができる。
【０１２０】
以上のように構成したので、本実施形態によれば、原稿サイズ検知装置９の構成に、原稿サイズに対応して反射板９ａ１，９ａ２，９ａ３と受光センサ９ｂ１，９ｂ２，９ｂ３とを設け、受光センサ９ｂ１，９ｂ２，９ｂ３により検知される原稿サイズ検知用の光源として原稿照射用の露光ランプ３Ａを用いたことで、原稿サイズ検知用の光源を不要にできるので、部品点数の削減を図るとともに、原稿サイズ検知装置９およびスキャナ部３の省スペース化を実現できる。
【０１２１】
また、本実施形態に係る受光センサ９ｂ１，９ｂ２，９ｂ３は、汎用の受光センサを用いること可能なため低コスト化が図れるとともに、装置構成や電気的制御を容易にできる。
【０１２２】
また、本実施形態によれば、露光ランプ３Ａに近接して拡開、縮開が可能なスリット部３Ｂを設けたことで、原稿読取り時と原稿サイズ検知時とで露光ランプ３Ａによる照射状態を簡単に切換えることができる。
【０１２３】
尚、本実施形態では、原稿サイズ検知装置９の構成として反射板９ａ１，９ａ２，９ａ３と受光センサ９ｂ１，９ｂ２，９ｂ３とを設けて、３サイズの原稿に対応するようにしているが、本発明は反射板及び受光センサの構成に限定されるものではなく、検知される原稿のサイズや種類によって反射板及び受光センサの数量や組み合わせは、如何様にも展開が可能である。
【０１２４】
また、本実施形態では、露光ランプ３Ａの光源３Ａ１として蛍光ランプ管を用いているが、光源としてＬＥＤを用いてもよい。
【０１２５】
以下に、原稿サイズ検知装置及びスキャナ部（画像読取り装置）の光源としてＬＥＤを採用した第２の実施形態について図面を参照して説明する。
（第２の実施形態）
図９は本発明の第２の実施形態に係る画像読取り装置を構成するスキャナ部の構成の示す説明図、図１０は前記スキャナ部に配置された原稿サイズ検知装置を構成する反射板の構成を示す説明図である。
【０１２６】
本実施形態に係る画像形成装置は、第１の実施形態に係る画像形成装置と略同様な構成および機能を備えるものとする。従って、本実施形態に係る画像形成装置及び画像読取り装置の基本的な構成と同一の構成については、第１実施形態の構成と同一の符号を付することで説明を省略する。
【０１２７】
本実施形態に係る画像形成装置に搭載されるスキャナ部１０３は、図９に示すように、その本体内部に第１の走査ユニット４、第２の走査ユニット５、光学レンズ体６、ＣＣＤ７を備えた原稿画像読取りユニット７Ａ、及びＬＥＤを用いた露光ランプ１０３Ａが設けられている。
【０１２８】
露光ランプ１０３Ａは、光源としてＬＥＤ１０３Ａ１を用いて凸状の光学レンズ体１０３Ａ２により平行光を照射するように構成されている。
【０１２９】
また、露光ランプ１０３Ａは、第１の実施形態と同様に傾倒可能に取付けられており、原稿サイズ検知時と原稿照射時とで照射方向を変更可能に動作制御されている。
【０１３０】
露光ランプ１０３Ａの照射光出射側には、スキャナ部１０３の主走査方向に沿って長く開口されたスリット部３Ｂが設けられている。スリット部３Ｂは、通常の原稿への露光時には、原稿載置面に対して高さ方向で所定の間隙をとって縮開されており、原稿サイズ検知時には、原稿載置面に対して高さ方向（図中下方）に拡開するように構成されている。
図中において、原稿画像読取り時の露光ランプ１０３Ａからの原稿までの照射光の光路を破線、原稿からＣＣＤ７までの画像光の光路を一点鎖線で示す。
【０１３１】
スキャナ部１０３の底部１０３ａには、図１０に示すように、原稿サイズ検知装置１０９の一部を構成する光源からの照射光を反射する反射板９ａが原稿サイズに対応して、例えばＡ３サイズ，Ａ４サイズ，Ｂ５サイズの原稿に対応して３カ所に反射板９ａ１，９ａ２，９ａ３が設けられている。
【０１３２】
反射板９ａ１，９ａ２，９ａ３は、原稿サイズ検知時に露光ランプ１０３Ａがスキャナ部１０３の底部１０３ａに向かい傾倒して照射した時に、露光ランプ１０３Ａからの照射光を反射して、それぞれ図中上方に向かい照射するように反射面が斜めに設けられている。
図中において、原稿サイズ検知時の露光ランプ１０３Ａからの照射光の光路を二点鎖線で示す。
【０１３３】
図示しない原稿押え部（原稿押えカバー）には、第１の実施形態と同様に、反射板９ａ１，９ａ２，９ａ３に各々対応して反射光が照射される位置にセパレート式の受光センサ９ｂ１，９ｂ２，９ｂ３が設けられている。受光センサ９ｂ１，９ｂ２，９ｂ３は、それぞれ反射板９ａ１，９ａ２，９ａ３からの反射光が入射された時に検知信号を出力するようになっている。
【０１３４】
本実施形態に係るスキャナ部１０３による画像読取り及び原稿サイズ検知装置１０９による原稿サイズの検知は、第１の実施形態と同様に行なわれる。
【０１３５】
以上のように構成したので、本実施形態によれば、原稿サイズ検知装置１０９及びスキャナ部１０３の光源としてＬＥＤを採用したことで、光源の構成を簡単でき、しかも第１の実施形態と同様な効果を得ることができる。
【０１３６】
尚、本発明は、上述した本実施形態の光源の構成に限定されるものではなく、その他の構成による光源を用いたものであっても良い。
【０１３７】
以下に、上述した実施形態の変形例として、その他の構成による光源を用いた例について図面を参照して説明する。
図１１は第２の実施形態の変形例のその他の光源による主走査方向に沿った照射状態を示す説明図、図１２は前記光源による副走査方向に沿った照射状態を示す説明図である。
【０１３８】
この変形例は、図１１，図１２に示すように、スキャナ部２０３において、露光ランプ２０３Ａの構成として、複数のＬＥＤ２０３Ａ１を主走査方向に沿って並設し、それぞれのＬＥＤ２０３Ａ１に対応する光学レンズ体２０３Ａ２１を主走査方向に沿って複数並設したレンズアレイ２０３Ａ２を備えたものである。
このように構成することで、第１の実施形態の露光ランプ３Ａを用いた場合と同様な作用効果が得られる。
【０１３９】
尚、本発明は、上述した実施形態や変形例において説明した画像形成装置、画像読取り装置及び原稿サイズ検知装置に限定されるものではなく、原稿に照射する光源を備えて、その光源によって照射された原稿の反射光像を光電変換素子により読取るような構成や、光検知により原稿サイズを検知するような構成を有するものであれば、上述した実施形態や変形例とは異なる構成よりなる画像形成装置や画像読取り装置にも展開が可能である。
【図面の簡単な説明】
【０１４０】
【図１】図１は本発明の実施形態に係る画像形成装置の全体の構成を示す斜視図である。
【図２】前記画像形成装置の内部の構成を示す側面断面図である。
【図３】前記画像形成装置に搭載される画像読取り装置を構成するスキャナ部の構成の一例を示す説明図である。
【図４】前記スキャナ部を構成する露光ランプの構成を示す説明図である。
【図５】前記スキャナ部に配置された原稿サイズ検知装置を構成する反射板の構成を示す説明図である。
【図６】前記原稿サイズ検知装置を構成する反射板と受光センサの位置関係を示す説明図である。
【図７】前記画像形成装置の電気制御部の構成を示すブロック図である。
【図８】前記画像読取り装置のスキャナ部の制御を説明するブロック図である。
【図９】本発明の第２の実施形態に係る画像読取り装置を構成するスキャナ部の構成の一例を示す説明図である。
【図１０】前記スキャナ部に配置された原稿サイズ検知装置を構成する反射板の構成を示す説明図である。
【図１１】第２の実施形態の変形例のその他の光源による主走査方向に沿った照射状態を示す説明図である。
【図１２】前記光源による副走査方向に沿った照射状態を示す説明図である。
【図１３】従来の画像読取り装置における画像読取り部の構成の一例を示す説明図である。
【符号の説明】
【０１４１】
１  画像形成装置
１ａ  装置本体
２  原稿載置台
３，１０３，２０３  スキャナ部（画像読取り手段）
３ａ，１０３ａ  底部
３Ａ，１０３Ａ，２０３Ａ  露光ランプ（光源）
３Ａ１  光源
３Ａ２  リフレクタ
３Ｂ  スリット部
３Ｂ１  下側部
１０３Ａ２，２０３Ａ２１  光学レンズ体
４  第１の走査ユニット（移動照射手段）
４ａ  底部
４Ａ  反射ミラー
４Ｂ  反射ミラー
４Ｃ  第１のミラー
５  第２の走査ユニット（光量調整手段）
５Ａ  第２のミラー
５Ｂ  第３のミラー
６  光学レンズ体
７  ＣＣＤ（光電変換素子）
９，１０９  原稿サイズ検知装置
９ａ１，９ａ２，９ａ３  反射板
９ｂ１，９ｂ２，９ｂ３  受光センサ（受光手段）
４０Ａ  画像読取り装置
５７  画像処理部
６４  原稿読取駆動部
２０３Ａ１  ＬＥＤ
２０３Ａ２  レンズアレイ
Ｇ  原稿
【図１】
2007304193.tif 000003
【図２】
2007304193.tif 000004
【図３】
2007304193.tif 000005
【図４】
2007304193.tif 000006
【図５】
2007304193.tif 000007
【図６】
2007304193.tif 000008
【図７】
2007304193.tif 000009
【図８】
2007304193.tif 000010
【図９】
2007304193.tif 000011
【図１０】
2007304193.tif 000012
【図１１】
2007304193.tif 000013
【図１２】
2007304193.tif 000014
【図１３】
2007304193.tif 000015